(57)【要約】【課題】本発明は、比較的安価で、発光領域と消灯領域との境界が明確な発光表示装置を提供することを課題とする。【解決手段】本発明の一態様に係る発光表示装置は、裏面から入射した光線を拡散光に変えて表面から放出する導光部材１と、この導光部材１の裏面側に間隔を開けて配置される複数の点光源２とを備え、前記導光部材１が、前記表面を直下の１又は複数の前記点光源２に対応する複数の発光領域Ａに区画し、隣接する発光領域Ａへの光線の透過を低減する遮光構造３を有する。【選択図】図１
2019168571.tif 000002
【特許請求の範囲】
【請求項１】
第１の面から入射した光線を拡散光に変えて前記第１の面と反対側の第２の面から放出する導光部材と、
この導光部材の前記第２の面側に間隔を空けて配置される複数の点光源と
を備え、
前記導光部材が、前記第１の面を直下の１又は複数の前記点光源に対応する複数の発光領域に区画し、隣接する発光領域への光線の透過を低減する遮光構造を有する発光表示装置。
【請求項２】
前記遮光構造が前記第１の面から前記第２の面側に延びるよう形成されるスリットを有する請求項１に記載の発光表示装置。
【請求項３】
前記スリットが前記表面に開口しない請求項２に記載の発光表示装置。
【請求項４】
前記スリットが内側に光を透過しない層を有する請求項２又は請求項３に記載の発光表示装置。
【請求項５】
前記導光部材の前記スリットの前記第１の面側に残される部分の最小厚さが０．５ｍｍ以上３．０ｍｍ以下である請求項３に記載の発光表示装置。
【請求項６】
前記スリットに挿入される遮光板をさらに備える請求項２、請求項３又は請求項４に記載の発光表示装置。
【請求項７】
前記遮光板の平均厚さが０．５ｍｍ以上３．０ｍｍ以下である請求項５に記載の発光表示装置。
【請求項８】
請求項５又は請求項６に記載の発光表示装置と、
ユーザーが操作可能な操作部材と、
前記操作部材の操作を検知する検出機構と
を備え、
前記導光部材が両端面を前記第１の面及び前記第２の面とする筒状であり、
前記操作部材が前記導光部材の内側に配置され、
前記遮光板が前記操作部材の外周に設けられる発光表示スイッチ。
【請求項９】
前記導光部材及び前記操作部材が前記第２の面側に向かって縮径するテーパー状である請求項７に記載の発光表示スイッチ。
【請求項１０】
請求項７又は請求項８に記載の発光表示スイッチと、
前記発光表示スイッチの操作部材の操作に応じて動作状態が定められるマイクロフォンと
を備え、
前記マイクロフォンの動作状態に応じて、前記点光源を点灯する発光領域が切り換えられる収音装置。
【請求項１１】
マイクロフォンと、
単一の発光面の全面から光を放出する第１の表示状態と前記発光面の一部から光を放出する第２の表示状態とを前記マイクロフォンの動作状態に応じて切り換える発光表示部と
を備える収音装置。
【請求項１２】
前記作発光表示部が、前記マイクロフォンが収音している側の部分から光を放出する請求項１１に記載の収音装置。
【請求項１３】
複数の前記マイクロフォンを備え、
前記収音方向が、前記複数のマイクロフォンが出力する音声信号を処理することにより収音の指向角が異なる音声信号を得ることで定められる請求項１２に記載の収音装置。
【請求項１４】
スピーカーをさらに備える請求項１１、請求項１２又は請求項１３に記載の収音装置。
【請求項１５】
前記作発光表示部が、前記スピーカーが放音している側の部分から光を放出する請求項１４に記載の収音装置。
【請求項１６】
複数の前記スピーカーを備え、
前記放音方向が、前記複数のスピーカー間の干渉により指向角を異ならせることで定められる請求項１５に記載の収音装置。
【請求項１７】
遠隔会議端末として機能する請求項１４、請求項１５又は請求項１６に記載の収音装置。
【請求項１８】
スマートスピーカーとして機能する請求項１４、請求項１５又は請求項１６に記載の収音装置。
【発明の詳細な説明】
【技術分野】
【０００１】
本発明は、発光表示装置、発光表示スイッチ及び収音装置に関する。
【背景技術】
【０００２】
一定の面積を有する発光面を均等に発光させたり、発光面の一部の領域だけを発光させたりできる発光表示装置が求められることがある。このような発光表示装置では、複数の光源を有し、複数の光源の一部だけを点灯することにより、発光面の一部の領域だけを発光させることが想定される。
【０００３】
このように発光面の一部の領域だけを発光させる際に、この発光領域と隣接する消灯領域との境界を明確であること、つまり発光領域と消灯領域との境界で輝度が階段状に変化することが理想的であることが多い。
【０００４】
例えば特開２０１１−６０７０６号公報には、複数のＬＥＤ光源と複数のＬＥＤ光源間を仕切るよう設けられるコーン状乃至ボウル状（椀状）の遮光性隔壁と、この隔壁の上に設けられ、ＬＥＤ光源から発せられる光を上向きの平行光線に変化させる複数のレンズと、複数のレンズを覆うよう配置され、レンズから出される平行光線を拡散させる拡散板とを有する表示装置が開示されている。
【０００５】
前記公報に記載される表示装置は、ＬＥＤ光源から発せられる光をレンズによって上向きの平行光線に変化させるため、レンズの形状が複雑であり、このレンズが製造コストを押し上げる要因となる。
【０００６】
表示装置は、様々な機器に設けられるが、収音装置、例えば遠隔会議システムの音声入出力装置等にも、マイクロフォンの動作状態等を表示する表示装置が必要とされる。例として、特開２００８−１５４０５５号公報には、表示装置として液晶表示パネルを備えるビデオ会議装置が開示されている。
【０００７】
前記公報に記載されるビデオ会議装置の液晶表示パネルは、装置の正面からでなければその表示内容を容易に確認することができない。このため、前記公報のビデオ会議装置では、装置を囲むように着席した参加者の多くが、例えばマイクロフォンが有効となっているか否か等の装置の動作状態を確認することができない。
【先行技術文献】
【特許文献】
【０００８】
【特許文献１】特開２０１１−６０７０６号公報
【特許文献２】特開２００８−１５４０５５号公報
【発明の概要】
【発明が解決しようとする課題】
【０００９】
前記不都合に鑑みて、本発明は、比較的安価で、発光領域と消灯領域との境界が明確な発光表示装置及び発光表示スイッチ、並びに動作状態が分りやすい収音装置を提供することを課題とする。
【課題を解決するための手段】
【００１０】
前記課題を解決するためになされた本発明の一態様に係る発光表示装置は、第１の面から入射した光線を拡散光に変えて前記第１の面と反対側の第２の面から放出する導光部材と、この導光部材の第１の面側に間隔を開けて配置される複数の点光源とを備え、前記導光部材が、前記第２の面を直下の１又は複数の前記点光源に対応する複数の発光領域に区画し、隣接する発光領域への光線の透過を低減する遮光構造を有する。
【００１１】
また、前記課題を解決するためになされた本発明の別の態様に係る収音装置は、マイクロフォンと、単一の発光面の全面から光を放出する第１の表示状態と前記発光面の一部から光を放出する第２の表示状態とを前記マイクロフォンの動作状態に応じて切り換える発光表示部とを備える。
【発明の効果】
【００１２】
本発明の一態様に係る発光表示装置は、比較的安価で、発光領域と消灯領域との境界が明確である。また、本発明の別の態様に係る収音装置は、動作状態が分りやすい。
【図面の簡単な説明】
【００１３】
【図１】本発明の一実施形態の発光表示装置の模式的断面図である。
【図２】本発明の一実施形態の発光表示スイッチの模式的断面図である。
【図３】図２の発光表示スイッチの模式的分解斜視図である。
【図４】図２の発光表示スイッチの模式的平面図である。
【図５】図２の発光表示スイッチを備える収音装置の模式的斜視図である。
【図６】図５の収音装置の筐体の上部を取り外した状態の模式的斜視図である。
【発明を実施するための形態】
【００１４】
以下、適宜図面を参照しつつ、本発明の実施の形態を詳説する。
【００１５】
［発光表示装置］
図１に、本発明の一実施形態に係る発光表示装置を示す。当該発光表示装置は、第１の面（裏面）から入射した光線を拡散光に変えて第１の面と反対側の第２の面（表面：以下発光面Ｓということがある）から放出する導光部材１と、導光部材１の裏面側に間隔を空けて配置される複数の点光源２とを備える。
【００１６】
なお、本明細書における「表面」及び「裏面」は、観察者側を「表面」、その反対側を「裏面」とするが、当該発光表示装置の配設場所や配設方向を限定することを企図するものではない。
【００１７】
＜導光部材＞
導光部材１は、透明な樹脂とこの樹脂中に分散される微粒子状の光拡散材とを有する材料から形成することができる。この導光部材１は、点光源２から発せられ、裏面に入射する放射状の光線を内部で散乱させて発光面Ｓから出射する光が主に拡散光となるようにする。これにより、導光部材１の表面側から観察する者は、裏面側の点光源２を認識せず、導光部材１の発光面Ｓが面発光しているように認識する。
【００１８】
導光部材１は、発光面Ｓを直下の１又は複数の点光源２に対応する複数（図示する例では２つであるが３つ以上であってもよい）の発光領域Ａに区画し、隣接する発光領域への光線の透過を低減する遮光構造を有する。
【００１９】
発光面Ｓの平面形状としては、例えば方形状、円形状、環状、帯状等、任意の形状とすることができる。各発光領域Ａの形状としては、特に限定されないが、後述する遮光構造を簡素化できる点で、発光面Ｓを直線で区分して画定される形状とすることが好ましい。
【００２０】
導光部材１の上下高さ（裏面から表面までの距離）の下限としては、点光源２から遮光構造の中心までの水平距離（点光源２が設けられる面に沿う方向の距離）の最大値の１００％が好ましく１２０％がより好ましい。一方、導光部材１の上下高さの上限としては、点光源２から遮光構造の中心までの水平距離の最大値の２００％が好ましく１８０％がより好ましい。導光部材１の上下高さが前記下限に満たない場合、点光源２から入射した光を十分に拡散することができず、発光面Ｓの輝度のばらつきが大きくなり過ぎるおそれがある。逆に、導光部材１の上下高さが前記上限を超える場合、当該発光表示装置の厚さが不必要に増大するおそれや、点光源２から入射した光を十分に透過させることができず発光面Ｓの輝度が低下するおそれがある。
【００２１】
遮光構造は、裏面側から上方に延びるよう形成されるスリット３を有する構成とすることができる。
【００２２】
スリット３は、導光部材１の表面に開口していてもよいが、発光面Ｓの全体を発光（発光面Ｓ全体から光を放出）させられるよう、導光部材１の表面に開口しないよう形成されることが好ましい。
【００２３】
スリット３は、隣接する発光領域Ａへの光の進入を確実に抑制するために、内側に光を透過しない層を有することが好ましい。具体的には、図示するようにスリット３に遮光板４を挿入したり、スリット３の内面に光を反射又は吸収する塗料を塗布したりすることで、スリット３を光が横断することを防止することができる。特に、遮光板４を挿入する構成とすることによって、当該発光表示装置の製造が比較的容易でありながら、発光している発光領域Ａと消灯している発光領域Ａとの境界が明確になるため、当該発光表示装置の表示が分りやすくなる。
【００２４】
導光部材１のスリット３の前記第１の面側に残される部分の最小厚さ、つまり、スリット３が形成される部分での導光部材１の表裏方向の最小厚さの下限としては、０．５ｍｍが好ましく、０．８ｍｍがより好ましい。一方、導光部材１のスリット３の前記第１の面側に残される部分の最小厚さの上限としては、３．０ｍｍが好ましく、２．０ｍｍがより好ましい。導光部材１のスリット３の前記第１の面側に残される部分の最小厚さが前記下限に満たない場合、両側の発光領域Ａを点灯したときにその境界近傍の輝度が不十分となるおそれや、導光部材１が破断しやすくなるおそれがある。逆に、導光部材１のスリット３の前記第１の面側に残される部分の最小厚さが前記上限を超える場合、隣接する発光領域Ａに透過する光量を十分に抑制することができず、両側の発光領域Ａの一方のみを点灯した場合に発光領域Ａの境界が不明確となるおそれがある。
【００２５】
スリット３の断面形状としては、幅が略一定のものに限られず、発光面Ｓ側の端部又は全体の幅が発光面Ｓに向かって減少する三角形状又はテーパー状であってもよい。特に、スリット３が発光面Ｓに開口する場合やスリット３が形成される部分での導光部材１の最小厚さを小さくする場合には、発光領域Ａの境界を明確にするために、スリット３の幅が発光面Ｓに向かって減少することが好ましい。
【００２６】
スリット３に挿入される遮光板４の平均厚さ（又は対向する光を透過しない層の外面の平均距離）の下限としては、０．５ｍｍが好ましく、０．８ｍｍがより好ましい。一方、遮光板４等の平均厚さの上限としては、３．０ｍｍが好ましく、２．０ｍｍがより好ましい。遮光板４等の平均厚さが前記下限に満たない場合、遮光板４等の形成が困難となるおそれがある。逆に、遮光板４等の平均厚さが前記上限を超える場合、スリット３の両側の発光領域Ａを点灯したときにその境界近傍の輝度が不十分となるおそれがある。
【００２７】
導光部材１は、裏面に各点光源２を受け入れる凹部５を有していてもよい。このように、凹部５を設けることによって、点光源２が発する光を導光部材１に効率よく取り込ませることができる。凹部の形状としては、例えば球面状、円筒面等とすることができる。
【００２８】
凹部５の最大幅の下限としては、収容する点光源２の最大幅の２倍が好ましく、３倍がより好ましい。一方、凹部５の最大幅の上限としては、収容する点光源２と隣接する点光源の中心距離の５０％が好ましく、４０％がより好ましい。凹部５の最大幅が前記下限に満たない場合、凹部５に点光源２を確実に収容できないおそれや、点光源２から発せられる光を効率よく導光部材１の内部に取り込むことができないおそれがある。逆に、凹部５の最大幅が前記上限を超える場合、隣接する凹部５やスリット３と重なることにより点光源２から発せられる光を効率よく導光部材１の内部に取り込むことができないおそれがある。
【００２９】
凹部５の最大深さの下限としては、収容する点光源２の最大高さの１．０倍が好ましく、１．５倍がより好ましい。一方、凹部５の最大深さの上限としては、導光部材１の平均厚さ（スリット３及び凹部５は考慮しない）の４０％が好ましく、３０％がより好ましい。凹部５の最大深さが前記下限に満たない場合、凹部５に点光源２を収容できないおそれや、過度に加工精度や実装精度が要求されるおそれがある。逆に、凹部５の最大深さが前記上限を超える場合、導光部材１の実効高さが不足して発光面Ｓの輝度にムラができるおそれがある。
【００３０】
＜点光源＞
点光源２としては、例えば発光ダイオード、ハロゲンランプ、白熱電球等を用いることができるが、中でも小型でエネルギー効率に優れる発光ダイオードが特に好適に用いられる。また、点光源２として用いられる発光ダイオードは、異なる波長の素子が並んで形成され、白色光を発すものや、光の色を選択可能なものであってもよい。また、各発光領域Ａに波長が異なる複数の点光源２が設けられることにより、発光領域Ａの色を選択可能としてもよい。
【００３１】
複数の点光源２は、できるだけ等間隔に配置することが好ましい。複数の点光源２を等間隔に配置することで、発光面Ｓの輝度のばらつきを小さくすることができる。
【００３２】
複数の点光源２の配設方法としては、特に限定されないが、図示するように、共通の基板６の表面に複数の点光源２を実装し、この基板６と導光部材１との相対位置を固定する方法とすることができる。このように、共通の基板６を用いることにより、複数の点光源２を導光部材１の裏面側に正確且つ容易に配置することができる。
【００３３】
＜利点＞
当該発光表示装置は、部品点数が少なく、構成が比較的簡単であると共に、各構成要素の形状に高い精度が要求されない。このため、当該発光表示装置は、比較的安価に製造することができる。
【００３４】
また、当該発光表示装置は、全ての点光源２を点灯すれば発光面Ｓの全体を発光させることができ、いずれかの発光領域Ａの点光源２を選択的に点灯すれば、特定の発光領域Ａだけを発光させることができる。当然ながら、当該発光表示装置は、全ての点光源２を消灯して発光面Ｓの全体を発光させないこともできる。従って、当該発光表示装置は、消灯モードを含めて少なくとも４つの表示モードを有することができる。
【００３５】
さらに、当該発光表示装置は、隣接する発光領域Ａへの光線の透過を低減する遮光構造を有するので、点光源２を点灯して発光している発光領域Ａと点光源２を消灯して発光していない発光領域Ａとの境界が明確である。このため、当該発光表示装置は点灯状態を判別することが容易である。
【００３６】
［発光表示スイッチ］
図２乃至図４に、本発明の一実施形態に係る発光表示スイッチ１０を示す。
【００３７】
当該発光表示スイッチ１０は、本発明の図１とは異なる実施形態に係る発光表示装置１１と、ユーザーが操作可能な操作部材１２と、操作部材１２のユーザーによる操作を検知する検出機構１３とを備える。
【００３８】
＜発光表示装置＞
発光表示装置１１は、概略筒状に形成され、一方の端面から入射した光線を拡散光に変えて表面から放出する導光部材１と、導光部材１の裏面側に間隔を開けて配置される複数の点光源２と、導光部材１に形成される複数のスリット３に挿入される複数の遮光板４とを備える。この遮光板４は、後述する操作部材１２に設けられている。
【００３９】
当該発光表示スイッチ１０における発光表示装置１１の導光部材１（スリット３及び凹部５を含む）、点光源２並びに遮光板４の特に言及しない構成については、図１の発光表示装置の導光部材１（スリット３及び凹部５を含む）、点光源２並びに遮光板４の構成と同様とすることができる。このため、同じ構成要素には同じ符号を付して重複する説明を省略する。
【００４０】
当該発光表示装置１１において、導光部材１は、表裏方向の軸を有する筒状であり、表面側に向かって縮径するテーパー状に形成されている。さらに、導光部材１は裏面の径方向の幅が、表面（発光面Ｓ）の径方向の幅より小さくなっている。また、導光部材１は、裏面にそれぞれ点光源２を受け入れる複数の凹部５を有する。このような導光部材１に合わせて、複数の点光源２は、基板６上に、導光部材１の裏面に沿って環状に並んで配置されている。
【００４１】
導光部材１のテーパー角度は、表面側から見て、各点光源２の中心が発光面Ｓの外側に位置するようできる角度にすることが好ましい。このように、点光源２を発光面Ｓの直下に配置しないようにすることで、点光源２から導光部材１内を直進して透過して発光面Ｓから出射される光量を低減することができる。これによって、ユーザーに点光源２の存在を感じさせにくくすることができ、発光面Ｓが面で発光しているように見せる効果が大きくなる。
【００４２】
また、導光部材１の裏面の径方向の幅を発光面Ｓの幅よりも大きくすることで、点光源２から発せられる光をより多く導光部材１の中に取り込んで、発光面Ｓの輝度を向上することができる。
【００４３】
本実施形態の導光部材１は、２つのスリット３を有し、環状の発光面Ｓを２つの発光領域Ａ１，Ａ２に区画している。より詳しくは、環状の発光面Ｓは、直下に１つの点光源２が配置される第１の発光領域Ａ１と、直下に４つの点光源２が配置される２の発光領域Ａ２とを有する。当該発光表示スイッチ１０は、発光面Ｓの全体を発光する状態と、第１の発光領域Ａ１だけを発光する状態とにより、当該発光表示スイッチ１０によって選択される機器の動作状態を表示することが企図される。
【００４４】
発光表示装置１１は、導光部材１の周面を覆う遮光性のカバー７をさらに備える。発光表示装置１１は、カバー７を備えることによって、導光部材１の発光面Ｓ以外の場所、例えば側方から点光源２から発せられた光が外部に漏れ出すことを防止する。
【００４５】
＜操作部材＞
操作部材１２は、導光部材１の内側に配置される。このため、操作部材１２は、導光部材１の内周面に沿うテーパー状の外周面を有する錐台形状に形成され、頂面をユーザーが操作するよう構成される。また、操作部材１２は、外周面に垂直に突出するよう遮光板４が設けられている。
【００４６】
この操作部材１２は、遮光性を有する材料によって、遮光板４と一体に形成することができる。
【００４７】
また、操作部材１２は、平面視で中心部に光を透過可能な領域を有してもよい。この場合、光を透過可能な領域の直下にも点光源２を配置することにより、操作部材１２を点灯させることができる。操作部材１２の光を透過可能な領域は、平面視でパターニングされて任意の意匠を形成してもよい。操作部材１２は、例えば当該発光表示スイッチ１０の電源が入っているときに点灯する電源表示として使用することができる。
【００４８】
本実施形態において、操作部材１２に対する操作は、ユーザーが触れる操作である。つまり、当該発光表示スイッチ１０は、操作部材１２にユーザーが触れたことを検出するタッチセンサである。
【００４９】
＜検出機構＞
検出機構１３は、基板６の操作部材１２に対向する面に形成される電極パターン１４を含み、操作部材１２の静電容量の変化を検出するよう構成される電気回路である。このため、本実施形態の検出機構１３は、前記電極パターン１４に操作部材１２を確実に接続できるよう、操作部材１２と基板６との間に圧縮状態で配置される導電性スポンジ１５を有する。
【００５０】
＜利点＞
当該発光表示スイッチ１０は、操作部材１２の操作に応じて、発光面Ｓの全体を均等に発光する状態と、その一部の発光領域Ａ１だけを発光する状態とを切り換えることができる。さらに、当該発光表示スイッチ１０は、発光領域Ａ１だけを発光する場合に、その境界が明確であるため、ユーザーが動作状態を容易に把握することができる。
【００５１】
［収音装置］
図５及び図６に、本発明の一実施形態に係る収音装置を示す。当該収音装置は、図２の発光表示スイッチ１０と、発光表示スイッチ１０の操作に応じて動作状態が切り換えられるマイクロフォン２０とを備える。また、本実施形態の収音装置は、スピーカー３０さらに備えており、遠隔会議端末、つまり遠隔会議システムの音声入出力装置として機能するよう構成されている。
【００５２】
なお、マイクロフォン２０の「動作状態」とは、マイクロフォン２０自体の動作に限られず、例えばマイクロフォン２０への音波の入射を阻害する遮音部材の配置状態、当該収音装置から外部に出力するまでにマイクロフォン２０から出力された音声信号に対して施される信号処理の方法や増幅率等の設定状態などを含むマイクロフォン２０の収音に関連する装置の状態全般を意味する。
【００５３】
当該収音装置は、これらの構成要素が筐体４０の中に設けられており、発光表示スイッチ１０の導光部材１の発光面Ｓ及び操作部材１２のユーザーが触れる表面が筐体４０から露出している。マイクロフォン２０及びスピーカー３０は、本実施形態のように、筐体４０の音波を通過させる開口が形成された領域の内側に配置することができるが、筐体４０から露出していてもよい。
【００５４】
当該収音装置は、発光表示スイッチ１０の発光表示装置１１によって構成される発光表示部が、単一の発光面Ｓの全面（第１の発光領域Ａ１及び第２の発光領域Ａ２）から光を放出する第１の表示状態と発光面Ｓの一部（第１の発光領域Ａ１）から光を放出する第２の表示状態とをマイクロフォン２０の動作状態に応じて切り換えられる。つまり、当該収音装置は、マイクロフォン２０の動作状態に応じて点光源２を点灯する発光領域Ａ１，Ａ２が切り換えられる。
【００５５】
＜マイクロフォン＞
マイクロフォン２０は、外部の音を電気信号に変換する。このマイクロフォン２０は、電気信号を出力するミュートオフ状態と、電気信号を出力しないミュートオン状態との２つの動作状態が発光表示スイッチ１０の操作によって、より詳しくは発光表示スイッチ１０の検出機構１３が検出した操作部材１２の操作を検出したときに切り換えられる。
【００５６】
マイクロフォン２０の構成としては、例えばムービング・コイル型マイクロフォン、リボン型マイクロフォン、コンデンサ型マイクロフォン等、任意のマイクロフォンを用いることができる。また、マイクロフォン２０は、本実施形態の収音装置では装置本体の内部に収容されているが、装置本体から突出して設けられるもの、例えばグースネック型マイクロフォン等であってもよい。
【００５７】
また、マイクロフォン２０は指向性を有してもよい。また、当該収音装置は、複数のマイクロフォンを備えてもよい。具体例として、当該収音装置は、指向性を有しないマイクロフォン２０と指向性を有するマイクロフォン２０とが設けられていてもよく、指向性を有する複数のマイクロフォン２０が異なる方向に向けて設けられていてもよい。複数のマイクロフォン２０が設けられる場合、当該収音装置は、ユーザーが発光表示スイッチ１０又は他の入力手段を用いて一部のマイクロフォン２０だけをミュートオフ状態とすることができるよう構成されてもよく、発光表示スイッチ１０の発光表示部の環状の発光面Ｓのうちマイクロフォン２０がミュートオフ状態となっている方向、つまりマイクロフォン２０により収音（電気信号を出力）することが可能となっている方向の発光領域が発光するようにしてもよい。
【００５８】
また、当該収音装置は、マイクロフォン２０の動作状態として、マイクロフォン２０が出力する音声信号の強度（ゲイン）を切り換え可能に構成されてもよい。この場合、発光表示スイッチ１０の発光表示部の発光面Ｓの例えば輝度、色、点滅パターン等、つまり直下の点光源が発する光の強度、波長、点滅パターン等をマイクロフォン２０が出力する音声信号の強度に応じて変化させてもよい。当該収音装置が音声信号の強度が調整されるマイクロフォン２０を複数備える場合、発光面Ｓの輝度又は色が発光領域毎に切り換えられることが好ましい。
【００５９】
当該収音装置において、１つのマイクロフォン２０に発光面Ｓの複数の発光領域が対応してもよく、この場合、各発光領域は、マイクロフォン２０の対応する方向毎のゲインを示す輝度又は色で発光してもよい。
【００６０】
また、当該収音装置において、発光面Ｓの１つの発光領域が複数のマイクロフォン２０に対応してもよい。この場合、発光面Ｓの色及び輝度は、複数のマイクロフォン２０の状態を示す色を重畳した色又は輝度で発光してもよい。この色の重畳は、光の重ね合わせによる加法混合で得られる色としてもよく、インクの混合による減法混合で得られる色としてもよい。
【００６１】
具体例としては、当該収音装置が指向性を有するマイクロフォン２０と指向性を有しないマイクロフォン２０とを有する場合、指向性を有しないマイクロフォン２０がミュートオフ状態であるときには発光面Ｓの全体を第１の色で発光させ、指向性を有するマイクロフォン２０がミュートオフ状態であるときには発光面Ｓの対応する方向の発光領域を第２の色で発光させ、指向性を有しないマイクロフォン２０及び指向性を有するマイクロフォン２０が共にミュートオフ状態である場合には、発光面Ｓの指向性を有するマイクロフォン２０に対応する領域が第１の色と第２の色とを混色した色で発光してもよい。
【００６２】
また、当該収音装置は、複数のマイクロフォン２０によりビームフォーミングするものであてもよい。より詳しく説明すると、当該収音装置２０は、複数のマイクロフォン２０が出力する音声信号を演算処理することによって、特定の方向からの音だけを抽出して最終的に得られる音声信号の指向角を小さくすることができ、このように指向角が小さい音声信号を得る場合には発光表示装置１１がその小さい指向角に対応する小さい角度範囲の発光領域を発光するよう構成されてもよい。
【００６３】
＜スピーカー＞
スピーカー３０は、電気信号を空気振動に変換する周知の機構である。当該収音装置が遠隔会議システム用音声入出力装置として用いられるものである場合、スピーカー３０は、複数の会議参加者に向けて均一な音質を提供するという観点から、指向角が大きいことが好ましい。単一のスピーカー３０を設ける場合、指向角が大きいものを上方に向けて音を発生するよう配置することが好ましい。
【００６４】
また、当該収音装置は、指向性を有し、放音方向が異なる複数のスピーカー３０を有し、スピーカー３０毎に出力を停止又は出力レベルを調整可能に構成されてもよい。この場合、発光表示スイッチ１０の発光表示部の環状の発光面Ｓのうちスピーカー３０が放音する方向の発光領域を点灯させてもよく、対応するスピーカー３０の出力レベルに対応する輝度又は色で各発光領域を発光させてもよい。また、当該収音装置は、指向性を有する向きが略等しい（少しずつ向きがずらされていてもよい）複数のスピーカー３０（アレイスピーカー）を有し、複数のスピーカー３０間の干渉により実効的な指向角を異ならせ、この実効的な指向角に対応する方向の発光領域を発光させてもよい。
【００６５】
当該収音装置は、前方からの音を収音するよう装置前側にマイクロフォン２０が配置され、このマイクロフォン２０から離して装置後側よりの装置上面にスピーカー３０が上方に音を放出するよう配置され、装置上面の平面視でマイクロフォン２０とスピーカー３０との間に発光表示スイッチ１０が配置されている。これにより、発光表示スイッチ１０を操作しやすく、スピーカー３０が発する音をマイクロフォン２０が収音することを抑制できる。
【００６６】
＜利点＞
当該収音装置は、複数の発光領域Ａ１，Ａ２を選択的に発光させることができ、発光領域Ａ１，Ａ２の境界が明確な発光表示スイッチ１０を備えるため、ユーザーがマイクロフォン２０の動作状態を容易に把握することができる。
【００６７】
［その他の実施形態］
前記実施形態は、本発明の構成を限定するものではない。従って、前記実施形態は、本明細書の記載及び技術常識に基づいて前記実施形態各部の構成要素の省略、置換又は追加が可能であり、それらは全て本発明の範囲に属するものと解釈されるべきである。
【００６８】
当該発光表示装置において、導光部材に設けられる遮光構造はスリット以外の構造であってもよい。スリット以外の遮光構造としては、例えば導光部材の成型時にインサートされたシート、幅の大きい溝乃至切り欠き等を挙げることができる。
【００６９】
当該発光表示装置において、導光部材は、点光源を受け入れる凹部を有しないものであってもよい。
【００７０】
当該発光表示装置の導光部材の平面形状は任意であり、各発光領域の形状及び大きさに応じて直下の点光源の数及び配置を選択することができる。
【００７１】
当該発光表示スイッチにおける検出機構の構成は、特に限定されず、例えば操作部材の移動を検出する接点機構、操作部材に作用する力を検出する圧力検出機構等であってもよい。
【００７２】
当該収音装置において、スピーカーは必須の構成ではない。スピーカーを有しない収音装置としては、例えば放送用マイクロフォン装置等を挙げることができる。
【００７３】
また、スピーカーを備える本発明の収音装置の実施形態としては、遠隔会議端末として機能するものに限定されない。具体例としては、インターネットに接続され、人工知能によりユーザーと音声で対話するスマートスピーカーとして機能する収音装置は、スピーカーを備える本発明の収音装置の典型的な実施形態の一つである。
【産業上の利用可能性】
【００７４】
本発明に係る発光表示装置及び発光表示スイッチは、多様な電子機器に利用することができるが、本発明に係る収音装置に特に好適に利用することができる。また、本発明に係る収音装置は、遠隔会議システムに特に好適に利用することができる。
【符号の説明】
【００７５】
１  導光部材
２  点光源
３  スリット
４  遮光板
５  凹部
６  基板
７  カバー
１０  発光表示スイッチ
１１  発光表示装置
１２  操作部材
１３  検出機構
１４  電極パターン
１５  導電性スポンジ
２０  マイクロフォン
３０  スピーカー
４０  筐体
Ｓ  発光面
Ａ，Ａ１，Ａ２  発光領域
【図１】
2019168571.tif 000003
【図２】
2019168571.tif 000004
【図３】
2019168571.tif 000005
【図４】
2019168571.tif 000006
【図５】
2019168571.tif 000007
【図６】
2019168571.tif 000008